(57)【要約】【課題】カラオケ録音システムにより作成した唱歌作品に歌詞データを加えて利用者の携帯音楽プレーヤに渡して活用させる。【解決手段】カラオケデータは、伴奏音楽データと、第１歌詞データを含む。第１歌詞データには、カラオケ演奏時用の表示制御データが付帯する。唱歌作品データは、歌声付き音楽データと、第２歌詞データを含む。第２歌詞データには、携帯音楽プレーヤ用の表示制御データが付帯する。録音手段に収録させた歌声付き音楽データと、当該楽曲の第２歌詞データとを組み合わせた唱歌作品データを作成して記憶手段に格納する。記憶手段に格納された歌唱作品データを外部機器に渡す。【選択図】  図１
2006276592.tif 000002
【特許請求の範囲】
【請求項１】
記憶手段と、カラオケ再生手段と、録音手段と、データ転送手段と、制御手段を備え、伴奏音楽とともに利用者の歌声を収録した作品を歌詞とともに利用者の携帯音楽プレーヤ向けに提供するカラオケ装置であって、
記憶手段は、カラオケデータと、唱歌作品データを格納し、
カラオケデータは、伴奏音楽データと、第１歌詞データを含み、
第１歌詞データには、カラオケ演奏時用の表示制御データが付帯し、
唱歌作品データは、歌声付き音楽データと、第２歌詞データを含み、
第２歌詞データには、携帯音楽プレーヤ用の表示制御データが付帯し、
カラオケ再生手段は、制御手段の制御によりカラオケデータに基づいて伴奏音楽を音響出力するとともに歌詞を表示出力し、
録音手段は、制御手段の制御により伴奏音楽に合わせて歌唱する歌声と伴奏音楽を混合してデジタル録音し、
データ転送手段は、制御手段の制御により歌唱作品データを外部機器に向けて出力し、
制御手段は、作品生成処理と、作品出力処理を可能とし、
作品生成処理は、録音手段に収録させた歌声付き音楽データと、当該楽曲の第２歌詞データとを組み合わせた唱歌作品データを作成して記憶手段に格納し、
作品出力処理は、記憶手段に格納された唱歌作品データをデータ転送手段より外部機器に向けて転送する
カラオケ装置。
【請求項２】
作品生成処理は、第１歌詞データに基づいて第２歌詞データを編集する
請求項１に記載のカラオケ装置。
【請求項３】
カラオケデータは、第２歌詞データをも含んでいる
請求項１に記載のカラオケ装置。
【請求項４】
第２歌詞データは、文字数不定の行ブロックに分割された文字列の順列から構成され、  行ブロックには、歌唱開始時刻のデータが対応付けされている
請求項１〜３のいずれかに記載のカラオケ装置。
【発明の詳細な説明】
【技術分野】
【０００１】
この発明は、カラオケ伴奏音楽と利用者の歌声とを収録した唱歌作品を作成して携帯音楽向けに提供する録音サービス機能を備えたカラオケ装置の改良に関し、とくに、収録した唱歌作品に歌詞データも含ませる技術に関する。
【背景技術】
【０００２】
出願人が運営している一部のカラオケ店においては、利用者の歌声を伴奏音楽とともに録音した唱歌作品を作成し、ＣＤやＭＤなどの可搬型記録媒体に収録して利用者に提供するサービスを実施しており、好評を博している。カラオケ録音システムに関連して、出願人は以下の（Ａ）〜（Ｆ）などの多数の特許出願をしている。
【０００３】
（Ａ）特許第３５１５０６９号「カラオケ録音装置」
音楽作品のカラオケ利用に関わる著作権を保護する観点から、カラオケ録音時に利用者が歌唱しなかった場合は、伴奏音楽だけが録音されている収録データをＣＤやＭＤなどに転記しない。
【０００４】
（Ｂ）特許第３５２２２１５号「カラオケ録音装置」
上記と同様に著作権の保護対策として、カラオケデータベースの索引情報として各楽曲が録音可能か否かの情報を付帯させておき、利用者が選曲した楽曲が録音不許可であった場合、そのことを演奏に先だって利用者に知らせる。
【０００５】
（Ｃ）特許第３６３１６９７号「カラオケ店で収録した歌声を音楽工房装置で音楽作品に仕上げて公開する音楽情報処理システム」
カラオケ装置のシンセサイザーで演奏されるＭＩＤＩ音楽データによる伴奏（高品位とは言い難い）を聴きながら歌った歌声を録音し、その録音ファイルをインターネット上のコンピュータシステム（音楽工房装置）に転送する。音楽工房装置には、生演奏録音タイプのきわめて高品位な伴奏音楽が蔵置されており、送られてきた利用者の歌声と高品位伴奏音楽とを混合編集加工して唱歌作品ファイルを作成し、その唱歌作品ファイルを利用者がインターネットを通じてダウンロード可能とする。
【０００６】
（Ｄ）特許第３６４３０４６号「転記順番管理に特徴を有する集中管理型カラオケ録音システム」
多数のカラオケ客室のある集合店舗において、各カラオケ装置のハードディスクに暫定記録された録音作品を店舗に共用の光ディスク書込装置にてＣＤやＭＤに転記する。利用者の帰る時間に間に合うように、ＣＤやＭＤへの転記順番を合理的に入れ替える。
【０００７】
（Ｅ）特許第３６４５１９２号「利用者別のアルバムを制作するカラオケ録音システム」
カラオケ録音システムを複数の利用者でグループ利用する場合に、個々の利用者をＩＤで区別して録音作品と対応付けし、ＣＤやＭＤに転記する際に、各利用者に個別に割り当てた専用のディスクにその人が歌った録音作品を集約する。
【０００８】
（Ｆ）特開２００４−３３３５７８号「カラオケ装置の録音システム」
録音作業期間において、伴奏音楽と歌声の録音作品ファイルを楽曲単位で作成し、曲名と作成順番が分かるように管理し、それら録音作品の一覧を適時に利用者に提示する。利用者が一覧の中から作品を選んで再生指示をすると、それを聴くことができる。そして気に入らなかったら歌い直して録音し直すことができる。最終的に、作品一覧の中から利用者が選択した作品をＣＤやＭＤに転記する。
【発明の開示】
【発明が解決しようとする課題】
【０００９】
最近大流行の携帯音楽プレーヤは、ＭＰ３形式などの高能率圧縮符号化したデジタルの音楽データを外部のデータ提供装置から取り込んで記憶手段に蓄積しておき、随時に音楽データを再生してヘッドホンなどで音響出力する。選曲のためなどに表示器が付いているものが多い。蓄積された音楽データベースの索引に基づいて曲目リストを表示したり、演奏希望の楽曲を検索できるようになっている。また、音楽データに歌詞データも付随していて、音楽演奏時に歌詞を同期して表示させる機能を備えた機種もある。
【００１０】
この出願の発明者らは、カラオケ録音システムにより作成した唱歌作品を利用者の携帯音楽向けに提供することを企図した。そのうえ、携帯音楽で唱歌作品を再生して聴取する際、携帯音楽が備える小型表示器に歌詞を同期して表示させる機能を付加すれば、利用者に喜ばれると考えた。
【００１１】
既存の歌詞表示器付き携帯音楽プレーヤの場合、音楽データと歌詞データを含む楽曲データとして、その機種専用に編集されたものを取り扱うものであった。携帯音楽プレーヤ自身が超小型であり、これに付いている表示器もきわめて小さく、表示可能な文字数は多くはない。そのような制約条件の多い表示器環境下で歌詞を見やすく表示するために、表示器の仕様および内蔵フォントの仕様にあわせて表示シーケンスを工夫した歌詞データを制作し、データ提供装置から該当機種の歌詞表示器付き携帯音楽プレーヤに提供するサービスを行っている。
【００１２】
このような特定機種専用に歌詞データを制作することは、楽曲データ提供業者にとってはかなりの負担である。表示器とフォントの仕様が異なる多種多様な携帯音楽プレーヤに共通の歌詞データを提供し、各機種のプレーヤ側で表示器とフォントの仕様にあわせた制御で歌詞を見やすく表示できれば、楽曲データ提供業者にとってきわめて好都合である。
【００１３】
カラオケ装置が取り扱うカラオケデータベースに収蔵されている各楽曲のカラオケデータ中の歌詞データは、適当に区切られた複数の歌詞文字列ブロックと、各歌詞文字列ブロックの表示レイアウトを規定したデータと、各ブロックを表示して消去するタイミングを規定したデータと、各ブロック中の文字列を音楽進行に合わせて色変えするタイミングを規定したデータとを含み、カラオケ装置の機種専用のデータ構造になっている。
【００１４】
カラオケ録音システムにより作成した唱歌作品にカラオケ装置専用の歌詞データを付属させ、それを利用者の携帯音楽プレーヤに渡しても、携帯音楽プレーヤにて唱歌再生に同期させて歌詞を表示させることは原理的に不可能ではないものの、携帯音楽プレーヤの処理負担が大きすぎて、利用者に喜ばれる値段でこのサービスに対応した携帯音楽プレーヤを商品化することは容易ではない。この障害を乗り越えることが本発明の目的である。
【課題を解決するための手段】
【００１５】
この発明に係るカラオケ装置は、つぎの事項（１）〜（12）により特定されるものである。  
（１）記憶手段と、カラオケ再生手段と、録音手段と、データ転送手段と、制御手段を備え、伴奏音楽とともに利用者の歌声を収録した作品を歌詞とともに利用者の携帯音楽プレーヤ向けに提供するカラオケ装置であること
（２）記憶手段は、カラオケデータと、唱歌作品データを格納すること
（３）カラオケデータは、伴奏音楽データと、第１歌詞データを含むこと
（４）第１歌詞データには、カラオケ演奏時用の表示制御データが付帯すること
（５）唱歌作品データは、歌声付き音楽データと、第２歌詞データを含むこと
（６）第２歌詞データには、携帯音楽プレーヤ用の表示制御データが付帯すること
（７）カラオケ再生手段は、制御手段の制御によりカラオケデータに基づいて伴奏音楽を音響出力するとともに歌詞を表示出力すること
（８）録音手段は、制御手段の制御により伴奏音楽に合わせて歌唱する歌声と伴奏音楽を混合してデジタル録音すること
（９）データ転送手段は、制御手段の制御により歌唱作品データを外部機器に向けて出力すること
（10）制御手段は、作品生成処理と、作品出力処理を可能とすること
（11）作品生成処理は、録音手段に収録させた歌声付き音楽データと、当該楽曲の第２歌詞データとを組み合わせた唱歌作品データを作成して記憶手段に格納すること
（12）作品出力処理は、記憶手段に格納された唱歌作品データをデータ転送手段より外部機器に向けて転送すること
【００１６】
この発明においては、作品生成処理において第１歌詞データに基づいて第２歌詞データを編集する構成を採りうる。また、カラオケデータに第２歌詞データをも含めておく構成を採りうる。  
この発明の望ましい実施形態では、第２歌詞データは文字数不定の行ブロックに分割された文字列の順列により構成し、各行ブロックには歌唱開始時刻のデータが対応付けした構成とする。
【発明の効果】
【００１７】
カラオケ録音システムにより作成した唱歌作品にカラオケ装置専用の第１歌詞データと異なる第２歌詞データを携帯音楽プレーヤに渡して活用させることができる。
【発明を実施するための最良の形態】
【００１８】
＝＝＝カラオケ装置の基本的な構成と機能＝＝＝
この発明の一実施例によるカラオケ装置の概略構成を図１に示している。中枢コンピュータ１は、このカラオケ装置の全体を統括する。ハードディスク装置２には、中枢コンピュータ１のプログラムと、カラオケデータベースと、映像データベースと、運用記録データベースと、唱歌作品データなどの各種情報が格納されている。操作／表示パネル部３は、利用者により各種の情報が入力可能であるとともに、利用者に向けて各種の情報を表示可能である。通信制御部７は、通信回線を介して外部のカラオケサーバーおよび会員情報サーバーと通信する。
【００１９】
演奏処理部８は、中枢コンピュータ１の制御により、カラオケデータに基づいて伴奏音楽を演奏し、ミキシングアンプ９を介してオーディオシステムにより音響出力させる。マイクロホンからの音声信号はマイクアンプ１０を介してミキシングアンプ９に入力され、伴奏音楽と歌声とが混合されて音響出力される。
【００２０】
カラオケ演奏に関連した各種の映像情報が、中枢コンピュータ１の制御により、ビデオメモリ４・表示処理部５・表示装置６によって利用者に提供される。たとえば、カラオケ演奏中には歌詞テロップを伴ったカラオケ映像が表示されるし、採点経過や結果も表示される。演奏休止中には、演奏予約状況を示す情報、音楽関連の広告宣伝情報、今週のベストテンのようなカラオケ関連情報などが各種表示される。
【００２１】
＝＝＝カラオケ録音システムの前段＝＝＝
ミキシングアンプ９はＡ／Ｄ変換回路を内蔵しており、歌声録音処理の実行時には、中枢コンピュータ１からの指示に従い、オーディオシステムに向けて出力する伴奏音楽と歌声とを混合したアナログ信号をデジタル変換して中枢コンピュータ１に順次転送する。中枢コンピュータ１は、歌声録音プロセスにおいて、ミキシングアンプ９からのデジタル音声信号を所定のデータ形式にて順次ＲＡＭに蓄積する。１楽曲の録音が終了すると、中枢コンピュータ１は、録音データと、第２歌詞データ（あとで詳述する）とを含んだ唱歌作品データをファイル構成し、必要な識別子を付してハードディスク装置２に格納しておく。
【００２２】
＝＝＝端末コンピュータ１３＝＝＝
端末コンピュータ１３は、カラオケ集会に参加している利用者によって操作されるもので、無線ポート１２を介して中枢コンピュータ１と通信するものである。端末コンピュータ１３は、パームトップ型あるいはラップトップ型などと称されるコンピュータに似た一体型のパソコンであり、ユーザインタフェースとして、その正面に透明タッチパネル付きの液晶表示器１４が大きくレイアウトされており、これにより利用者と対話形式でさまざまな情報交換を行うようにプログラムされている。
【００２３】
この実施例の端末コンピュータ１３は、利用者が持参した携帯音楽プレーヤ１５と通信してこれに唱歌作品データを転送するために、汎用的なＵＳＢポート１１を備えている。
【００２４】
図示していないが、端末コンピュータ１３は、ＩＣカードインタフェースと、デジタルカメラを一体的に備えている。ＩＣカードインタフェースは、利用者が所持する会員カードに記録されている情報（利用者ＩＤが含まれる）を読み取り可能である。デジタルカメラは、利用者の顔写真を撮影する目的にあわせた仕様となっている。端末コンピュータ１３は、ＩＣカードインタフェースにより読み取った利用者ＩＤを記憶するとともに、中枢コンピュータ１に通知する。端末コンピュータ１３のハードディスク装置にはカラオケ索引データベースが蔵置されており、これにより利用者がさまざまなモードで楽曲検索を行うことができ、検索した楽曲を演奏予約（リクエスト）することができる。
【００２５】
＝＝＝カラオケデータの構成＝＝＝
この実施例のカラオケデータは、（ア）ＭＩＤＩデータおよびＡＤＰＣＭデータで表現された伴奏音楽データ（イ）カラオケ演奏時用の第１歌詞データ（ウ）携帯音楽プレーヤ用の第２歌詞データを含んでいる。第１歌詞データは、周知のように、適当に区切られた複数の歌詞文字列ブロックと、各歌詞文字列ブロックの表示レイアウトを規定したデータと、各ブロックを表示して消去するタイミングを規定したデータと、各ブロック中の文字列を音楽進行に合わせて色変えするタイミングを規定したデータとを含み、カラオケ装置の機種専用のデータ構造になっている。
【００２６】
＝＝＝第２歌詞データの構成＝＝＝
図２に、文部省唱歌「富士山」の第２歌詞データの具体例を示している。第２歌詞データは、文字数不定の行ブロックに分割された文字列の順列から構成されており、行ブロックには、歌唱開始時刻のデータが対応付けされている。図２に例示した第２歌詞データにおいて、第１行ブロックは「あたまを雲の上に出し」という文字列であり、歌唱開始時刻ｔ１が付帯している。第２行ブロックは「しほうの山を見下ろして」という文字列であり、歌唱開始時刻ｔ２が付帯している。第３行ブロックは「雷様を下に聞く」という文字列であり、歌唱開始時刻ｔ３が付帯している。第４行ブロックは「富士は日本一の山」という文字列であり、歌唱開始時刻ｔ４が付帯している。歌唱開始時刻ｔ１〜ｔ４は、当該楽曲の音楽を演奏開始してからの経過時間で表現したデータである。
【００２７】
＝＝＝唱歌作品データの作成＝＝＝
利用者が文部省唱歌「富士山」をリクエストするとともに歌声録音の指示入力を与えたとする。中枢コンピュータ１は、「富士山」のカラオケデータをハードディスク装置２から取り出し、伴奏音楽データに基づいて演奏処理部８に伴奏音楽を演奏させるとともに、第１歌詞データに基づいて演奏に同期して色変わりする歌詞テロップを表示装置６に表示させる。このとき同時に、前述したように、ミキシングアンプ９からのデジタル音声信号（伴奏音楽と歌声を含む）を所定のデータ形式（ＭＰ３形式とする）にて順次ＲＡＭに蓄積する。
【００２８】
そして「富士山」の演奏と録音が終了すると、中枢コンピュータ１は、「富士山」のカラオケデータに含まれる第２歌詞データと録音データとをセットにして唱歌作品データをファイル構成し、楽曲識別子を付してハードディスク装置２に格納する。
【００２９】
＝＝＝唱歌作品リストの提示＝＝＝
中枢コンピュータ１は、ハードディスク装置２に最大２０曲分の唱歌作品データを蓄積するようにプログラムされている。利用者が端末コンピュータ１３の液晶表示器１４に対して決められたようにタッチ入力することで、唱歌作品リストの表示要求を入力することができる。この表示要求は端末コンピュータ１３から中枢コンピュータ１に伝えられ、中枢コンピュータ１が応答して唱歌作品リスト情報を端末コンピュータ１３に送る。
【００３０】
これを受けて端末コンピュータ１３の画面に唱歌作品リストが表示される。この表示を見て利用者が希望の作品「富士山」をタッチ入力により特定し、かつダンプ要求を入力したとする。この要求が端末コンピュータ１３から中枢コンピュータ１に伝えられ、中枢コンピュータ１はハードディスク装置２に格納されている「富士山」の唱歌作品データを読み出して端末コンピュータ１３に転送する。
【００３１】
また、端末コンピュータ１３は、ダンプ要求の入力を受け付けた際、液晶表示器１４の画面に「あなたの携帯音楽プレーヤをＵＳＢポートに接続してください」と案内表示をする。この表示を見て利用者は、持参している携帯音楽プレーヤ１５を端末コンピュータ１３のＵＳＢポート１１に接続する。
【００３２】
端末コンピュータ１３は、中枢コンピュータ１から送られてくる唱歌作品データを受け取るとともに、ＵＳＢポート１１に接続されている携帯音楽プレーヤ１５に渡す処理を実行する。
【００３３】
＝＝＝携帯音楽プレーヤでの唱歌作品データの活用＝＝＝
図３に表現したのは、図２に例示した「富士山」の第２歌詞データが携帯音楽プレーヤ１５にて表示されるプロセスである。図３において、網掛けした大きな長方形の中心に位置する白抜きの小さな長方形が携帯音楽プレーヤ１５における小型液晶表示器の歌詞表示エリアであり、この実施例における歌詞表示エリアに、プレーヤ１５の内蔵ＲＯＭ中の文字フォントを使用して歌詞の文字列を２行に分けて表示可能である。その２行の表示エリアを上行エリア・下行エリアと称して区別する。
【００３４】
携帯音楽プレーヤ１５において「富士山」が選曲されて演奏指示が与えられたとする。ＣＰＵは、フラッシュメモリから「富士山」の唱歌作品データをＲＡＭに読み込み、その中の録音データを再生準備と、第２歌詞データの表示準備を行う。準備ができてＭＰ３デコーダにより音楽データの再生を開始するとともに、再生開始時点を起点として時間をカウントし、歌詞表示処理を並行して行う。
【００３５】
まず再生開始したら、第２歌詞データ中の第１行ブロックをＲＡＭにビットマップ展開するとともに、第１行ブロックを歌詞表示エリアの上行エリアに割り当てて液晶表示器に表示させる。このとき、第１行ブロックの先頭文字を含んだ文字列を上行エリアに表示させ、かつ、第１行ブロックの末尾文字まですべてが上行エリアに収まっているか否かを判定する。この具体例においては、第１行ブロックの全文字が上行エリアに収まらない。この場合は、第１行ブロックの歌唱開始時刻ｔ１がすぎたら、第１行ブロックの末尾文字「し」が上行エリアに表示されるまで所定速度（後述）でスクロール表示させる。
【００３６】
また、第２行ブロックの歌唱開始時刻ｔ２になる前に、第２行ブロックをＲＡＭにビットマップ展開するとともに、第２行ブロックを歌詞表示エリアの下行エリアに割り当てて液晶表示器に表示させる。このとき、第２行ブロックの先頭文字を含んだ文字列を下行エリアに表示させ、かつ、第２行ブロックの末尾文字まですべてが下行エリアに収まっているか否かを判定する。この具体例においては、第２行ブロックの全文字が下行エリアに収まらない。この場合は、第２行ブロックの歌唱開始時刻ｔ２がすぎたら、第２行ブロックの末尾文字「て」が上行エリアに表示されるまで所定速度（後述）でスクロール表示させる。
【００３７】
また、第２行ブロックの歌唱開始時刻ｔ２の直前直後の期間に、上行エリアに表示した第１行ブロックを消去するとともに、ＲＡＭにビットマップ展開しておいた第３行ブロックを歌詞表示エリアの上行エリアに割り当てて液晶表示器に表示させる。このとき、第３行ブロックの先頭文字を含んだ文字列を上行エリアに表示させ、かつ、第３行ブロックの末尾文字まですべてが上行エリアに収まっているか否かを判定する。この具体例においては、第３行ブロックの全文字が上行エリアに収まっている。
【００３８】
また、第３行ブロックの歌唱開始時刻ｔ３の直前直後の期間に、下行エリアに表示した第２行ブロックを消去するとともに、ＲＡＭにビットマップ展開しておいた第４行ブロックを歌詞表示エリアの下行エリアに割り当てて液晶表示器に表示させる。このとき、第４行ブロックの先頭文字を含んだ文字列を下行エリアに表示させ、かつ、第４行ブロックの末尾文字まですべてが下行エリアに収まっているか否かを判定する。この具体例においては、第４行ブロックの全文字が下行エリアに収まっている。
【００３９】
また、第４行ブロックの歌唱開始時刻ｔ４の直前直後の期間に、上行エリアに表示した第３行ブロックを消去し、音楽データの再生が終了したら下行エリアに表示した第四行ブロックも消去する。以上で一連の処理の終了であり、このプロセスを図３にて図解している。
【００４０】
なお、歌詞表示処理を行うＣＰＵは、歌詞表示エリアに収まっていない文字数が多いほど、スクロール速度を大きくしたり、スクロール開始時期を早くするように制御する。また、つぎの行ブロックの歌唱開始時刻までにはスクロールを終えていなければならないので、つぎの行ブロックの歌唱開始時刻を参照し、スクロール速度やスクロール開始時期を適宜に変更制御する。
【００４１】
歌詞表示エリアが文字列を１行しか表示できない場合は、各行ブロックの歌唱開始時刻までに行ブロックの表示切替を実行していけばよい。歌唱開始時刻のデータは、行ブロックの切替を指示する時系列データに置換することができる。
【００４２】
上記の実施例は、２行表示可能な歌詞表示エリアの上行エリアと下行エリアに交互にあらたな行ブロックを表示していた。これに代え、下行エリアに表示中の行ブロックを上行エリアにスクロール（行スクロール）させて下行エリアにあらたな行ブロックを表示させてもよい。また、２行を一斉に表示切替する方式も採りうる。これらの技術事項は、歌詞表示エリアに３行以上を同時表示できる場合にも同様に適用できる。
【００４３】
＝＝＝第２歌詞データの逐次作成＝＝＝
ここまで説明した実施例では、もともとのカラオケデータに携帯音楽プレーヤ用の第２歌詞データも含めていた。これに対し、カラオケデータには第２歌詞データを含めておくのではなく、伴奏音楽とともに歌声を録音して唱歌作品データを作成する際に、第１歌詞データに基づいて第２歌詞データを編集する仕組みでも本発明を実施することができる。第１歌詞データの歌詞文字の行構成を第２歌詞データにそのまま流用し、各行ブロックの歌唱開始時刻データを第１歌詞データの表示・消去タイミングデータや色変えタイミングデータから抽出すれば、容易に第２歌詞データを編集することができる。この場合、ある曲の第１歌詞データから第２歌詞データを編集したならば、その第２歌詞データをハードディスク装置２に保存しておき、それと同じ曲の第２歌詞データ編集作業を繰り返さずにハードディスク装置２に保存してある第２歌詞データを使うようにすれば合理的である。
【００４４】
＝＝＝そのほかの実施形態＝＝＝
たとえば、ＵＳＢ接続式外囲器に収容されたフラッシュメモリを着脱可能であり、このフラッシュメモリに音楽データを蓄積するタイプの携帯音楽プレーヤの場合、図１のＵＳＢポート１１にそのフラッシュメモリを接続して唱歌作品データを書き込む仕組みにすることができる。
【００４５】
この発明のカラオケ装置は、アーキテクチャの異なる複数種類の携帯音楽プレーヤを対象とすることもできる。その場合、プレーヤの機種ごとに第２歌詞データの構成を変更する必要があるのであれば、取り扱い機種ごとの第２歌詞データをすべてカラオケデータに含めておく構成と、各種類の第２歌詞データをすべて第１歌詞データから編集できるようにする構成とを採りうる。そして、ＵＳＢポート１１などのデータ転送手段に接続された外部機器（携帯音楽プレーヤなど）の機種を自動判別して、該当する構成の第２歌詞データを含んだ唱歌作品データを提供するように構成する。
【図面の簡単な説明】
【００４６】
【図１】この発明の一実施例によるカラオケ装置の概略構成ブロック図である。
【図２】文部省唱歌「富士山」の第２歌詞データの論理構成図である。
【図３】「富士山」の第２歌詞データを携帯音楽プレーヤにおける２行表示の歌詞表示エリアに表示する処理の具体例を示す図である。
【符号の説明】
【００４７】
１  中枢コンピュータ
２  ハードディスク装置
６  表示装置
１１  ＵＳＢポート
１３  端末コンピュータ
１５  携帯音楽プレーヤ
【図１】
2006276592.tif 000003
【図２】
2006276592.tif 000004
【図３】
2006276592.tif 000005